(57)【要約】【課題】低コストの録画機能付きデジタルテレビ放送受信機により構築でき、かつ外出先からでも利用者が容易に遠隔録画予約が可能となる録画予約システムを提供する。【解決手段】インターネットアクセス端末６０へ番組情報を提供し、かつ当該インターネットアクセス端末６０から利用者の録画予約要求を受け付けるための録画予約サービスＷｅｂサーバ３５を放送事業者装置３０に設け、利用者の録画予約要求に基づく録画予約制御データを放送事業者装置３０がデジタル放送電波に乗せて放送する。録画機能付きデジタルテレビ放送受信機２０は、放送電波から録画予約制御データを受信して録画予約処理を行う。【選択図】　　　　図１
2004135216.tif 000002
【特許請求の範囲】
【請求項１】
インターネットアクセス端末と、
前記インターネットアクセス端末へ番組情報を提供し、かつ当該インターネットアクセス端末から利用者の録画予約要求を受け付けるための録画予約サービスウェブサーバを有し、かつ当該要求に基づく録画予約制御データをデジタル放送電波に乗せて放送する放送事業者装置と、
前記録画予約制御データを受信して録画予約処理を行う録画機能付きデジタルテレビ放送受信機とを備えたことを特徴とする録画予約システム。
【請求項２】
請求項１記載の録画予約システムにおいて、
前記録画予約制御データは、番組録画の予約又は取り消しを認識するデータ、録画の開始日時データ、終了日時データ及び録画予約モードデータを含むことを特徴とする録画予約システム。
【請求項３】
請求項１又は２に記載の録画予約システムにおいて、
前記放送事業者装置は、利用者が予め登録したＩＣカードＩＤ番号に対するユーザ名及びパスワードにより利用者の録画予約要求を認証するための手段を更に有することを特徴とする録画予約システム。
【請求項４】
請求項１〜３のいずれか１項に記載の録画予約システムにおいて、
前記放送事業者装置は、社団法人電波産業会（ＡＲＩＢ：Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓｅｓ）の標準規格に規定された限定受信個別情報伝送のためのＥＭＭ（Ｅｎｔｉｔｌｅｍｅｎｔ　Ｍａｎａｇｅｍｅｎｔ　Ｍｅｓｓａｇｅ）セクション中の可変部領域へ、前記録画予約制御データとともに当該録画予約制御データの識別子を挿入するための手段を更に有することを特徴とする録画予約システム。
【発明の詳細な説明】
【０００１】
【発明の属する技術分野】
本発明は、デジタルテレビ放送の録画予約システムに関し、特に外出先からでも番組の録画予約ができる遠隔録画予約システムに関するものである。
【０００２】
【従来の技術】
ある従来技術によれば、パーソナルコンピュータ（ＰＣ）がインターネットに接続され、このＰＣにインターフェースボックスが接続される。ＰＣは、録画機器の動作を設定するためのコマンドを含んだ番組情報の提供を放送事業者から受け、これを利用者に提示する。利用者がＰＣ画面上のコマンドの部分をクリックすると、このコマンドがインターフェースボックスに送られ、このインターフェースボックスから赤外線信号が出力されて、この赤外線信号により番組の録画予約が達成される（特許文献１参照）。
【０００３】
他の従来技術によれば、デジタルテレビ放送受信機と遠隔端末（携帯情報端末又は携帯電話）とが電話回線を介して接続される。放送事業者から放送電波を介してデジタルテレビ放送受信機が取得した番組情報は、電話回線を介して遠隔端末へ提供される。放送事業者は、遠隔端末から利用者の録画予約要求を受け付け、この要求に基づく録画予約制御データをデジタル放送電波に乗せて放送する。デジタルテレビ放送受信機は、この録画予約制御データを受信して録画予約処理を行う（特許文献２参照）。
【０００４】
【特許文献１】
特開平９−２９８７７５号公報
【特許文献２】
特開２００２−１９９３０１号公報
【０００５】
【発明が解決しようとする課題】
しかしながら、上記特許文献１の技術によれば、新聞や雑誌の番組欄を参照する必要がないので利用者にとって便利ではあるが、外出先から番組の録画予約をすることは不可能である。
【０００６】
また、上記特許文献２の技術によれば、外出先からの録画予約が可能になるものの、デジタルテレビ放送受信機を電話回線へ接続することが必須であるなどの理由から、受信機のコストアップを招く。
【０００７】
本発明の目的は、低コストの録画機能付きデジタルテレビ放送受信機により構築でき、かつ外出先からでも利用者が容易に遠隔録画予約が可能となる録画予約システムを提供することにある。
【０００８】
【課題を解決するための手段】
上記目的を達成するため、本発明は、インターネットアクセス端末へ番組情報を提供し、かつ当該インターネットアクセス端末から利用者の録画予約要求を受け付けるための録画予約サービスウェブサーバを放送事業者装置が有することとし、更に当該放送事業者装置が利用者の録画予約要求に基づく録画予約制御データをデジタル放送電波に乗せて放送することとしたものである。これにより、録画機能付きデジタルテレビ放送受信機は、放送電波から録画予約制御データを受信して録画予約処理を行うことができ、電話回線への接続の必要がなくなる。
【０００９】
【発明の実施の形態】
以下、本発明の実施形態について図面を参照しながら説明する。本実施形態では、社団法人電波産業会（ＡＲＩＢ：Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓｅｓ）の標準規格「デジタル放送における限定受信方式」（ＡＲＩＢ　ＳＴＤ−Ｂ２５）に規定された限定受信（ＣＡ：Ｃｏｎｄｉｔｉｏｎａｌ　Ａｃｃｅｓｓ）方式を利用する。本実施形態では、個別情報伝送のためのＥＭＭ（Ｅｎｔｉｔｌｅｍｅｎｔ　Ｍａｎａｇｅｍｅｎｔ　Ｍｅｓｓａｇｅ）セクションを利用して、録画要求した利用者のデジタルテレビ放送受信機へ番組の録画予約処理のための制御データを放送事業者装置が送信し、当該受信機が限定してこの制御データを受信できるようにする。なお、ＥＭＭセクションとは、加入者毎の契約情報及び共通情報の暗号を解くためのワーク鍵を含むＣＡのためのデータセクションである。
【００１０】
図１は、本発明に係る録画予約システムの構成例を示している。図１において、２０は利用者宅の録画機能付きデジタルテレビ放送受信機、２１は当該受信機２０に装着するＩＣカード、４０はデジタルテレビ放送媒体、３０は放送事業者装置、３１はデジタルテレビ放送各局、３２は顧客管理センタ、３３は全局ＳＩ集配センタ、３４は録画予約サービスセンタ、３５は録画予約サービスＷｅｂ（ウェブ）サーバ、５０はインターネット、６０は利用者のインターネットアクセス端末である。ここに、ＳＩは番組情報を含むサービス情報（Ｓｅｒｖｉｃｅ　Ｉｎｆｏｒｍａｔｉｏｎ）を意味する。
【００１１】
デジタルテレビ放送受信機２０は、デジタルテレビ放送各局３１からデジタルテレビ放送媒体４０を介して放送される放送電波を受信して映像／音声或いはデータを表示出力させ、更に、番組を録画予約できる機能を搭載している。ＩＣカード２１は、ＩＤ番号を有し、このＩＣカード２１を装着した受信機２０へＣＡ機能を提供することが可能となる。デジタルテレビ放送媒体４０は、現時点では、ＢＳ／ＣＳなどの衛星デジタル放送、地上波デジタル放送、ケーブルデジタル放送などを表す。また、デジタルテレビ放送各局３１においては、通常のデジタルテレビ放送に加え、ＥＭＭデータの放送も行い、ＥＭＭセクションに本録画予約システムで必要となる番組の録画予約制御データと利用者のＩＣカードＩＤ番号とを挿入して放送する。顧客管理センタ３２は、当該受信機２０の購入者のＩＣカードＩＤ番号に対応したユーザ名、ＩＣカードＩＤ番号に対応したパスワードなどの利用者認証のためのデータを管理している。録画予約サービスセンタ３４は、利用者からの録画予約要求を受け付ける利用者窓口である。録画予約サービスセンタ３４には、録画予約サービスＷｅｂサーバ３５を設置しており、利用者がインターネット５０を介し番組の録画予約要求が行える。インターネット５０には、録画予約サービスＷｅｂサーバ３５が接続されており、利用者端末６０のＷｅｂブラウザの画面に録画予約サービスのホームページを表示させることができる。同端末６０は、パーソナルコンピュータや携帯電話などのインターネット５０にアクセスできる端末である。
【００１２】
図２は図１の録画予約システムにおける利用者の作業フローを、図３は図１の録画予約システムにおけるＩＣカード２１のＩＤ登録項目をそれぞれ示している。図２に示すように、本録画予約システムを利用するために必要となる準備として、利用者は最初にデジタルテレビ放送受信機２０を購入した際に、ＩＣカード２１のＩＤ番号の利用者登録を行う（手順Ｓ２０１）。登録を行う方法としては、図３に示すように、購入した受信機２０に同梱されている郵便はがきに利用者の氏名、住所、電話番号、及び当該受信機２０に同梱されているＩＣカード２１のＩＤ番号と、録画予約サービスを受けるための認証手続きに必要なユーザ名及びパスワードとを記入し、放送事業者が運営する顧客管理センタ３２へ送る。顧客管理センタ３２は、送られてきた登録はがきに従って利用者登録を行う。この段階で利用者のＩＣカード２１のＩＤ番号の認証に必要となるユーザ名及びパスワードの登録が終了となる。次に、デジタルテレビ放送受信機２０の主電源をＯＮする（手順Ｓ２０２）。これで、本録画予約システムを利用するための準備完了となる。
【００１３】
次に、利用者は、外出先などからインターネット５０にアクセスできる端末６０よりＷｅｂブラウザを立ち上げ、録画予約サービスセンタ３４の録画予約サービスＷｅｂサーバ３５が提供するホームページへアクセスする（手順Ｓ２０３）。なお、この録画予約サービスＷｅｂサーバ３５へアクセスするためのホームページアドレスは受信機２０に同梱されているマニュアルに記載しており、利用者はそのアドレスを控えておく必要がある。利用者がこの録画予約を行う場所は、インターネット５０にアクセスできる場所であれば利用者宅、外出先のどちらでもよく、更に国内・海外のどの場所でも可能である。そして利用者は、録画予約サービスサイトの案内に従い、手順Ｓ２０１で登録したユーザ名とパスワードを入力することによってログインする（手順Ｓ２０４）。このログインで必要となるユーザ名とパスワードを、ユーザ登録した本人から本人の家族へ予め教えておけば、家族全員でこの録画予約サービスを利用できることになる。次に利用者は、録画予約サービスサイトの案内に従い、所望の番組を検索し、選択する（手順Ｓ２０５）。これで、利用者の行う番組の録画予約操作は終了となる。
【００１４】
図４は、図１の録画予約システムにおいて録画予約サービスサイトへのアクセス時に利用者端末６０に表示される画面の例を示している。利用者が録画予約サービスサイトへアクセスした際、利用者端末６０には、まず、ホームページへアクセスするためにログイン画面Ｓ４０１が表示される。ログインの際、利用者は、予め登録したユーザ名とパスワードを入力する。正しいログインの場合には、検索初期画面Ｓ４０２を表示する。不正なログインの場合は、改めてログイン画面Ｓ４０１を表示しログイン再操作を利用者へ要求する。正しくログインされて検索初期画面Ｓ４０２が表示されたら、次に利用者は、所望の項目をクリック（図４の例では、「ジャンル別検索」を選択）する。そして、利用者は、ジャンル別検索画面Ｓ４０３で所望の項目を更にクリック（図４の例では、「バラエティ」を選択）する。次に利用者は、番組検索画面Ｓ４０４で所望の番組をクリック（図４の例では、「番組名１」を選択）する。これにより、利用者の録画予約要求が確定する。
【００１５】
図５は、図１中の放送事業者装置３０の詳細構成を示している。図５中のデジタルテレビ放送各局３１において、３１０１はＣＡシステム、３１０２は録画予約サービスデータベース、３１０３はＥＭＭデータ生成部、３１１０は多重化部、３１２０はＳＩ／ＥＰＧシステム、３１２１はＳＩ／ＥＰＧ生成装置、３１２２はサービス情報データベース、３１３０は符号化システム、３１３１は符号化装置、３１３２は映像／音声ソースデータである。ここに、ＥＰＧは電子番組ガイド（Ｅｌｅｃｔｒｏｎｉｃ　Ｐｒｏｇｒａｍ　Ｇｕｉｄｅ）を意味する。顧客管理センタ３２において、３２０１は制御部、３２０２は顧客カードＩＤデータベースである。全局ＳＩ集配センタ３３において、３３０１は番組情報データベースである。録画予約サービスセンタ３４において、３４０１はデータベース、３４０２はＥＭＭ挿入データ生成部である。３９０１はデジタルテレビ放送送出装置である。
【００１６】
まず、入力されたユーザ名とパスワードの認証を行うシステムを図５を参照しながら説明する。入力されたユーザ名、パスワードのアクセスログは、録画予約サービスＷｅｂサーバ３５から顧客管理センタ３２へ送信され、顧客カードＩＤデータベース３２０２に登録されている内容か否かを制御部３２０１で確認・判定する。判定した結果は、録画予約サービスＷｅｂサーバ３５へ返信され、正しいログインの場合、図４のＳ４０２のような検索初期画面を表示する。不正なログインの場合は、改めてログイン画面Ｓ４０１を表示しログイン再操作を利用者へ要求する。また、アクセスログ（ユーザ名，パスワード）は、録画予約サービスセンタ３４内のデータベース３４０１に保持する。正しくログインされて検索初期画面Ｓ４０２が表示されたら、次に利用者は所望の項目を順次クリックすることで、録画予約要求の内容を確定させる（Ｓ４０３，Ｓ４０４）。
【００１７】
録画予約サービスセンタ３４は、録画予約サービスで必要となる番組情報を得るため、全局ＳＩ集配センタ３３の番組情報データベース３３０１から適当な間隔で、最新の番組情報を取得する。取得した番組情報はデータベース３４０１へ保存し、録画予約サービスの番組案内表として使用する。
【００１８】
図６は図５中のＣＡシステム３１０１により生成されるＥＭＭデータのセクション構造を、図７は図６中のＥＭＭ可変部Ｓ６０３の詳細をそれぞれ示している。図６において、Ｓ６００はＥＭＭセクションを、Ｓ６０１はＥＭＭセクションヘッダを、Ｓ６０２はＥＭＭ本体の固定部を、Ｓ６０３はＥＭＭ本体の可変部をそれぞれ表している。可変部Ｓ６０３は、図７に示すように録画予約制御データ（Ｓ７０１，Ｓ７０２）とともに、その識別ＩＤ（Ｓ７０４）を格納する領域である。
【００１９】
次に、利用者の録画予約要求した内容が、デジタルテレビ放送各局３１内のＣＡシステム３１０１へ伝送される過程について図５〜図７を参照しながら説明する。録画予約サービスＷｅｂサーバ３５は、利用者が録画予約要求した番組予約情報（図４の例では、番組名１の番組録画情報）を、ＥＭＭ挿入データ生成部３４０２へ送る。ＥＭＭ挿入データの生成は、全局ＳＩ集配センタ３３から取得した番組情報から、利用者の要求した番組に対する録画予約制御データＳ７０１の各制御項目（ネットワークＩＤ、オリジナルネットワークＩＤ、トランスポートストリームＩＤ、ブーケＩＤ、サービスＩＤ、録画予約又は取消の認識データ、番組の開始日時データ、番組の終了日時データ及び録画予約モード認識データ）を取得し、利用者の要求した録画予約制御データＳ７０２を生成する。
【００２０】
ここで、録画予約制御データＳ７０１の各制御項目について説明する。ネットワークＩＤは、１つの分配システムで伝送されるＭＰＥＧトランスポートストリームの集まりの識別子番号である。ここに、ＭＰＥＧ（Ｍｏｖｉｎｇ　Ｐｉｃｔｕｒｅ　ＥｘｐｅｒｔｓＧｒｏｕｐ）とは、国際標準化機関によって標準化された動画・音声を含むマルチメディアデータの高能率符号化技術をいう。オリジナルネットワークＩＤは、ネットワーク固有の識別子番号である。トランスポートストリームＩＤは、ＩＳＯ１３８１８−１で定義されるデータ構造であるトランスポートストリームのオリジナルネットワーク中での固有の識別子番号である。ブーケＩＤは、放送事業者装置３０から１つのものとして提供される編成チャンネルの集合体の識別子番号である。サービスＩＤは、編成チャンネルが放送事業者装置３０が編成するスケジュールの一環として放送可能な番組の連続であり、この編成チャンネルが、１つのトランスポートストリーム中で識別するための１つのサービス固有の識別子番号である。予約又は取り消しデータは、利用者が録画予約を行うか、或いは既に録画予約している内容を取り消すかを識別するためのデータである。開始日時データは、録画予約する番組の録画開始日時を認識するためのデータであり、年、月、日、時、分、秒を認識するためのデータである。終了日時データは、録画予約する番組の録画終了日時を認識するためのデータであり、年、月、日、時、分、秒を認識するためのデータである。録画予約モードデータは、録画予約する際の、各種モード（コマーシャルレス録画、長時間録画、通常録画など）を認識するためのデータである。
【００２１】
こうしてできた録画予約制御データＳ７０２と、利用者がログインした際にデータベース３４０１へ保存したアクセスログ（ユーザ名，パスワード）とを一緒に、録画予約サービスセンタ３４は、利用者が要求した番組に該当するデジタルテレビ放送各局３１のＣＡシステム３１０１の録画予約サービスデータベース３１０２へ送る。
【００２２】
次に、録画予約サービスセンタ３４から録画予約サービスデータベース３１０２へ送られた録画予約要求内容をどのようにデジタル放送電波に付加するかについて説明する。利用する放送システムとしては、デジタルテレビ放送におけるＣＡ機能を利用し、個別情報伝送で利用するＥＭＭセクションに録画予約制御データＳ７０２を挿入し、既存の標準規格（ＡＲＩＢ　ＳＴＤ−Ｂ２５）に準じて放送する。これにより、録画要求した利用者のデジタルテレビ放送受信機２０へ、放送事業者装置３０は限定して録画予約制御データＳ７０２を送信することが可能になる。
【００２３】
詳しくは、ＣＡシステム３１０１の録画予約サービスデータベース３１０２へ送られてきた録画予約制御データ（アクセスログとＥＭＭへ挿入するための録画予約制御データ）は、ＥＭＭデータ生成部３１０３へ送られる。ＥＭＭデータ生成部３１０３では、送られてきたアクセスログ（ユーザ名，パスワード）を顧客管理センタ３２へ送る。顧客管理センタ３２は、このアクセスログ（ユーザ名，パスワード）に対応する利用者のＩＣカードＩＤ番号を顧客カードＩＤデータベース３２０２から検索・抽出し、抽出した利用者のＩＣカードＩＤ番号をＥＭＭデータ生成部３１０３へ送る。ＥＭＭデータ生成部３１０３は、このＩＣカードＩＤ番号を図６のＥＭＭセクション内の固定部Ｓ６０２のＩＣカードＩＤ設定領域へ設定する。可変部Ｓ６０３のデータ領域の先頭１バイトへは、録画予約制御データ識別ＩＤ（Ｓ７０４）を設定する。そして、この録画予約制御データ識別ＩＤ（Ｓ７０４）に続き利用者の要求した録画予約制御データＳ７０２を設定する。これにより、利用者のＩＣカード２１が装着している受信機２０宛に送信するＥＭＭデータが生成されたことになる。なお、録画予約制御データ識別ＩＤ（Ｓ７０４）は、本発明の録画予約システムを提供する放送事業者とデジタルテレビ放送受信機メーカとの間で、予め規定しておく必要がある。
【００２４】
ＥＭＭデータ生成部３１０３で生成されたＥＭＭセクションデータは、多重化部３１１０において、映像／音声符号化データ、ＳＩデータ、ＥＰＧデータと多重化され、デジタル放送用データとなる。多重化されてできたデジタル放送用データは、デジタルテレビ放送送出装置３９０１へ送られ送信される。
【００２５】
図８は、図１中の利用者宅に設置されるデジタルテレビ放送受信機２０の詳細構成を示している。図８において、２００はデジタル放送の受信アンテナ、２０１はチューナ選局部、２０２は復調部、２０３はトランスポートデコード部、２０３１はトランスポートデコード部２０３の内部のＣＡ処理部、２０３２はＤＥＭＵＸ（デマルチプレクサ）部、２０４はＩＣカードＩＦ（インターフェース）部、２０５は制御部（ＣＰＵ）、２０５１は制御部２０５の内部の録画処理部、２０６は記録媒体、２０７は映像復号部、２０８は音声復号部、２０９は映像表示処理部、２１０は音声出力処理部である。
【００２６】
図８を参照して、利用者のデジタルテレビ放送受信機２０が、録画予約制御データが付加されているデジタル放送電波を受信し、録画予約終了に至る処理過程を説明する。チューナ選局部２０１は、制御部２０５からの制御で必要な放送信号の受信と選択を行う。復調部２０２は、伝送信号のパケット処理、エラー訂正処理を行い、次のトランスポートデコード部２０３に対しＭＰＥＧトランスポートストリーム信号を出力する。トランスポートデコード部２０３は、復調部２０２から出力されたトランスポートストリーム信号から、制御部２０５からの制御により必要となるストリームデータを分離抽出する。このトランスポートデコード部２０３では、動画映像データや音声データ、そして本発明の録画予約システムにおいて必要となる録画予約制御データＳ７０２などをフィルタリング処理により分離抽出する。詳しくは、トランスポートデコード部２０３の内部のＣＡ処理部２０３１において、標準規格（ＡＲＩＢ　ＳＴＤ−Ｂ２５）に準じて受信機２０に装着されているＩＣカード２１のＩＤ番号のＥＭＭデータをフィルタリングにより識別し、ＤＥＭＵＸ部２０３２にてフィルタリングにより抽出したＥＭＭデータ及び他の動画映像データや音声データを分離抽出する。映像復号部２０７は、映像データのデコードを行い、音声復号部２０８は、音声データのデコードを行う。映像表示処理部２０９は、デコードされた映像データの表示出力処理を行い、音声出力処理部２１０は、デコードされた音声データの出力処理を行う。ＩＣカード２１は、当該受信機２０に装着されることにより、ＩＣカードＩＦ部２０４を通じ、当該ＩＣカード２１のＩＤ番号が制御部２０５へ伝わり、このＩＤ番号は制御部２０５からトランスポートデコード部２０３のＣＡ処理部２０３１にフィルタリングデータとして記録される。記録媒体２０６は、ＨＤＤ（Ｈａｒｄ　Ｄｉｓｋ　Ｄｒｉｖｅ）、ＤＶＤ（Ｄｉｇｉｔａｌ　Ｖｅｒｓａｔｉｌｅ　Ｄｉｓｋ）などのデジタルデータ記録媒体を表す。実際、録画予約に基づいて録画された番組データは、この記録媒体２０６へ記録される。
【００２７】
図９は、図８のデジタルテレビ放送受信機２０の動作状態遷移図である。受信機２０は、主電源ＯＮ状態（通電状態）であれば、電源がＯＦＦの状態でも一部の受信処理を行う。これは、緊急放送や限定放送の受信処理を行うため、スタンバイ状態時でも、上記放送がされた場合、通常動作状態へ遷移できるようにするためである。本録画予約システムにおいては、デジタル放送におけるＣＡ方式を利用している。図９に示すように、ＥＭＭデータ放送常時処理のための受信機２０の動作状態には、通常動作状態Ｓ８０１と、スタンバイ状態Ｓ８０２と、ＥＭＭ処理状態Ｓ８０３とがある。通常動作状態Ｓ８０１は受信機２０の電源ＯＮ状態を表し、特に録画処理部２０５１ではこの通常動作状態Ｓ８０１で、通常利用者がキー入力などで行う録画要求指示に対する処理と同様に、録画予約制御データＳ７０２に従って録画予約処理を行う。スタンバイ状態Ｓ８０２は電源ＯＦＦ状態で時計のみ動作している状態を表し、制御部２０５、映像復号部２０７、音声復号部２０８のクロックはいずれも停止している。ただし、チューナ選局部２０１、復調部２０２、トランスポートデコード部２０３のＣＡ処理部２０３１には、常時クロックが供給されている。ＥＭＭ処理状態Ｓ８０３は通常状態でもスタンバイ状態でもなくＥＭＭデータの受信時にのみ必要となる動作状態を表し、映像復号部２０７、音声復号部２０８はクロック停止し、制御部２０５、トランスポートデコード部２０３のＤＥＭＵＸ部２０３２にクロックが供給される状態である。
【００２８】
次に、図８を参照しながら、放送電波受信から録画予約処理終了までのデジタルテレビ放送受信機２０の処理について説明する。まず、利用者は、受信機２０のＩＣカードＩＦ部２０４にＩＣカード２１を装着しておく。このＩＣカード２１の装着により受信機２０の内部の制御部２０５を通じてトランスポートデコード部２０３のＣＡ処理部２０３１にデータフィルタリング用としてＩＣカードＩＤ番号が保持される。ＩＣカード２１からのＩＤ番号などの初期データの入力については、スタンバイ状態Ｓ８０２若しくは通常動作状態Ｓ８０１でＩＣカード２１が未装着の状態から装着された時、又は主電源がＯＮになった時にも、ＩＣカード２１からデータ入力が行われる。通常、受信機２０の利用者が外出している間は、受信機２０の主電源ＯＮ状態（通電状態）で電源ＯＦＦ状態、つまりスタンバイ状態Ｓ８０２にしておくのが一般的である。
【００２９】
上記のように受信機２０にＩＣカード２１が装着されて、スタンバイ状態Ｓ８０２となっている状態で、受信アンテナ２００によりデジタルテレビ放送を受信し、受信したデータはチューナ選局部２０１へ入力され、制御部２０５からの制御に従って必要な放送信号の受信と選局を行う。選局された信号は、復調部２０２においてトランスポートストリーム信号への変換やエラー訂正処理が行われる。復調部２０２で生成されたトランスポートストリーム信号はトランスポートデコード部２０３へ入力され、予めＣＡ処理部２０３１にデータフィルタリング用として保管したＩＣカードＩＤ番号のフィルタリングを行い、利用者宛の情報、つまり利用者のＩＣカードＩＤが挿入されているＥＭＭデータを識別する。利用者宛のＥＭＭデータを受信すると、ＣＡ処理部２０３１はＥＭＭデータ受信通知（割り込み）を発行する。このＥＭＭデータ受信通知により制御部２０５にクロックが供給され、ＥＭＭ処理状態Ｓ８０３へ遷移する。
【００３０】
次に、このＥＭＭ処理状態Ｓ８０３においてＣＡ処理部２０３１によりフィルタリングしたＩＣカードＩＤ番号の挿入されたトランスポートストリーム信号がＤＥＭＵＸ部２０３２へ入力される。そして、ＤＥＭＵＸ部２０３２において、ＩＣカードＩＤ番号が付加されているＥＭＭデータの可変部Ｓ６０３の録画予約制御データ識別ＩＤ（Ｓ７０４）をフィルタリングにより識別すると、ＤＥＭＵＸ部２０３２から録画予約処理要求が制御部２０５へ通知（割り込みが発行）され、受信機２０は通常動作状態Ｓ８０１となる。
【００３１】
この通常動作状態Ｓ８０１において、可変部Ｓ６０３に挿入された利用者の要求した録画予約制御データＳ７０２をＤＥＭＵＸ部２０３２にて分離抽出し、制御部２０５の録画処理部２０５１へロードする。録画処理部２０５１は、通常利用者がリモートコントローラのキー入力などで行う録画予約命令に対する処理と同様に、利用者の要求した録画予約制御データＳ７０２に従って録画予約処理を行う。
【００３２】
利用者の要求した録画予約制御データＳ７０２に従った録画予約処理が終了すると、制御部２０５はＥＭＭ処理状態Ｓ８０３へ遷移し、他に録画予約制御データ識別ＩＤ（Ｓ７０４）がなければ、ＥＭＭ待受状態（スタンバイ状態）Ｓ８０２へ遷移する。これにより、利用者の受信機２０に対し、利用者の要求した番組の録画予約設定が終了する。
【００３３】
図８のハードウエア構成のうち、トランスポートデコード部２０３、制御部２０５、映像復号部２０７、音声復号部２０８は、現在、一般的にシステムＬＳＩ化されている。したがって、本録画予約システムの構築のためには、図８及び図９を用いて説明したような番組の録画予約処理を行うための録画予約制御データを取り込む制御と、取り込まれた録画予約制御データに基づく番組の録画予約処理とを、既存のデジタルテレビ放送受信機の制御用ソフトウェアに追加することで実現できる。
【００３４】
なお、将来的には放送と通信の融合なども想像できるが、現時点で、既存のデジタル放送システムを少し変更するだけで本録画予約システムの実現が可能となる。また、利用者にとってもデジタルテレビ放送受信機２０の購入時、アンテナに接続するだけの従来と同じ準備のみで本録画予約システムを構築することが可能となる。更に、「アクセスポイントまでの接続料金で通信できるインターネットの優位性」を使ったシステムを構築できるため、遠距離（海外）からでも安価に録画予約サービスを利用者に提供できる。タイムシフトした番組に対しても、放送事業者装置３０が録画予約制御データを再度送信することにより、タイムシフトに追従した録画予約も可能となる。
【００３５】
【発明の効果】
以上説明してきたとおり、本発明によれば、インターネットアクセス端末へ番組情報を提供し、かつ当該インターネットアクセス端末から利用者の録画予約要求を受け付けるための録画予約サービスウェブサーバを放送事業者装置が有することとし、更に当該放送事業者装置が利用者の録画予約要求に基づく録画予約制御データをデジタル放送電波に乗せて放送することとしたので、外出先からでも利用者が容易に遠隔録画予約が可能となる録画予約システムを低コストの録画機能付きデジタルテレビ放送受信機で構築できる。
【図面の簡単な説明】
【図１】本発明に係る録画予約システムの構成例を示すブロック図である。
【図２】図１のシステムにおける利用者の録画予約作業フロー図である。
【図３】図１のシステムにおけるＩＣカードのＩＤ登録項目を示す図である。
【図４】図１のシステムにおいて録画予約サービスサイトへのアクセス時に利用者端末に表示される画面の例を示す図である。
【図５】図１中の放送事業者装置の詳細構成を示すブロック図である。
【図６】図５中のＣＡシステムにより生成されるＥＭＭデータのセクション構造を示す図である。
【図７】図６中のＥＭＭ可変部の詳細図である。
【図８】図１中の録画機能付きデジタルテレビ放送受信機の詳細構成を示すブロック図である。
【図９】図８の受信機の動作状態遷移図である。
【符号の説明】
２０　録画機能付きデジタルテレビ放送受信機
２１　ＩＣカード
３０　放送事業者装置
３１　デジタルテレビ放送各局
３２　顧客管理センタ
３３　全局ＳＩ（Ｓｅｒｖｉｃｅ　Ｉｎｆｏｒｍａｔｉｏｎ）集配センタ
３４　録画予約サービスセンタ
３５　録画予約サービスＷｅｂサーバ
４０　デジタルテレビ放送媒体
５０　インターネット
６０　インターネットアクセス端末（利用者端末）
２００　受信アンテナ
２０１　チューナ選局部
２０２　復調部
２０３　トランスポートデコード部
２０４　ＩＣカードＩＦ（インターフェース）部
２０５　制御部（ＣＰＵ）
２０６　記録媒体
２０７　映像復号部
２０８　音声復号部
２０９　映像表示処理部
２１０　音声出力処理部
２０３１　ＣＡ（Ｃｏｎｄｉｔｉｏｎａｌ　Ａｃｃｅｓｓ）処理部
２０３２　ＤＥＭＵＸ（デマルチプレクサ）部
２０５１　録画処理部
３１０１　ＣＡシステム
３１０２　録画予約サービスデータベース
３１０３　ＥＭＭ（Ｅｎｔｉｔｌｅｍｅｎｔ　Ｍａｎａｇｅｍｅｎｔ　Ｍｅｓｓａｇｅ）データ生成部
３１１０　多重化部
３１２０　ＳＩ／ＥＰＧ（Ｅｌｅｃｔｒｏｎｉｃ　Ｐｒｏｇｒａｍ　Ｇｕｉｄｅ）システム
３１２１　ＳＩ／ＥＰＧ生成装置
３１２２　サービス情報データベース
３１３０　符号化システム
３１３１　符号化装置
３１３２　映像／音声ソースデータ
３２０１　制御部
３２０２　顧客カードＩＤデータベース
３３０１　番組情報データベース
３４０１　データベース
３４０２　ＥＭＭ挿入データ生成部
３９０１　デジタルテレビ放送送出装置
【図１】
2004135216.tif 000003
【図２】
2004135216.tif 000004
【図３】
2004135216.tif 000005
【図４】
2004135216.tif 000006
【図５】
2004135216.tif 000007
【図６】
2004135216.tif 000008
【図７】
2004135216.tif 000009
【図８】
2004135216.tif 000010
【図９】
2004135216.tif 000011